(57)【要約】【課題】  建物の二重床構造に関し、特にたわみの発生が少なく、床高さを低く抑えることができ、コストダウンが可能な二重床構造を提供する。【解決手段】  建物の床基盤上１６に、レベル調整自在かつ下端に弾性体１５を有する支持脚１４を所定の間隔をおいて立て、該支持脚１４の上端に床下地パネル材１１を支持させ、床下地パネル材１１上に床仕上げ材１２を載置してなる二重床構造１において、矩形または正方形の床下地パネル材１１の割付方向と矩形または正方形の床仕上げ材１２の割付方向とが平面視で４５±１５°に交差するように構成されている。【選択図】図１
2005232796.tif 000002
【特許請求の範囲】
【請求項１】
建物の床基盤上に、レベル調整自在かつ下端に弾性体を有する支持脚を所定の間隔をおいて立て、該支持脚の上端に床下地パネル材を支持させ、床下地パネル材上に床仕上げ材を載置してなる二重床構造において、矩形または正方形の床下地パネル材の割付方向と矩形または正方形の床仕上げ材の割付方向とが平面視で４５±１５°に交差するように構成されたことを特徴とする二重床構造。
【発明の詳細な説明】
【技術分野】
【０００１】
本発明は、建物の二重床構造に関し、特にたわみの発生が少なく、床高さを低く抑えることができ、コストダウンが可能な二重床構造に関する。
【背景技術】
【０００２】
図３は、従来の二重床を構成する床下地パネル材と、その上に床仕上げ材が施工された様子を透過して示す平面図である。図３に示すように、建物の二重床構造１００は３４００×６８００ｍｍの矩形であり、ここに図中破線で示す６００×１８００ｍｍの矩形の床下地パネル材１１０を二重床構造１００の長辺方向に平行に敷き詰める。この上に図中実線で示す３００×１８００ｍｍの矩形の床仕上げ材（フローリング）１２０を二重床構造１００の長辺方向に平行に敷き詰める。その結果、図中小楕円１３０、１３０・・・で囲われた部分においては床下地パネル１１０の継ぎ目と床仕上げ材（フローリング）１２０の継ぎ目が近接している。また、図中長楕円１４０の部分においては床下地パネル１１０の長手方向の継ぎ目と床仕上げ材（フローリング）１２０の長手方向の継ぎ目が床面の長辺側全部に渡って近接している。このように継ぎ目が近接していると、その部分の拘束が弱まり、変形が生じやすく、歩行や荷重によるたわみが発生しやすくなる。
【０００３】
それを避けるため、通常は床下地パネル材と床仕上げ材の割付にて継ぎ目が近くならないようにするが床仕上げ材１２０の大きさなどによっては、床下地パネル１１０と床仕上げ材１２０との間に合板等の捨て張りとして敷き固定することで対応している。（例えば、特許文献１参照）。
【特許文献１】特開平１１−１４１０４０号公報
【発明の開示】
【発明が解決しようとする課題】
【０００４】
しかしながら、上記記載のように継ぎ目を近くしないようにすることは、施工管理項目が増えたり、歩留まりが低下するという問題点がある。また、特許文献１に記載の二重床構造は、捨て張りをする必要があり、部材コスト、施工コストが嵩むという問題点がある。
【０００５】
本発明は、上述のような従来技術の問題点を解消するためになされたものであって、建物の二重床構造に関し、特にたわみの発生が少なく、床高さを低く抑えることができ、コストダウンが可能な二重床構造を提供することである。
【課題を解決するための手段】
【０００６】
本発明は、建物の床基盤上に、レベル調整自在かつ下端に弾性体を有する支持脚を所定の間隔をおいて立て、該支持脚の上端に床下地パネル材を支持させ、床下地パネル材上に床仕上げ材を載置してなる二重床構造において、矩形または正方形の床下地パネル材の割付方向と矩形または正方形の床仕上げ材の割付方向とが平面視で４５±１５°に交差するように構成されたことを特徴とするものである。
【０００７】
本発明において、二重床方式としては、乾式二重床方式といわれるコンクリートスラブの床基盤上に支持脚を立て、該支持脚上端に支持させてパネル体を張り、さらにその上に制振材、上部床材（捨て張り材）、フローリング材を順次載置する置き床方式、あるいはコンクリートスラブの床基盤上に防振ゴムやグラスウール等の防振材により床仕上げ材を壁材に接触しないように張る浮き床方式のいずれであってもよい。
【発明の効果】
【０００８】
本発明の二重床構造は、建物の床基盤上に、レベル調整自在かつ下端に弾性体を有する支持脚を所定の間隔をおいて立て、該支持脚の上端に床下地パネル材を支持させ、床下地パネル材上に床仕上げ材を載置してなる二重床構造において、矩形または正方形の床下地パネル材の割付方向と矩形または正方形の床仕上げ材の割付方向とが平面視で４５±１５°に交差するように構成されているので、床下地パネル材の継ぎ目と床仕上げ材の継ぎ目が近接することがなく床下地パネル材や床仕上げ材が動きにくくなることで、歩行や荷重によるたわみが発生しにくくなる。そのため捨て張りの合板等が不要となり、その分の材料費、施工費用の削減が可能となる。
【０００９】
又、床下の配管等で、床下の有効寸法が、捨て張り合板等が不要となれば、その分だけ広くすることができ、床の高さを低く抑えることで、天井高さの確保、バリヤフリーの為の段差解消がし易くなる。
【発明を実施するための最良の形態】
【００１０】
以下、本発明の実施の形態について図面を参照しながら詳細に説明する。
【実施例１】
【００１１】
図１は、本発明の一実施例であって、二重床を構成する床下地パネル材と、その上に床仕上げ材が施工された様子を透過して示す平面図である。図２は二重床（浮き床方式）構造を模式的に示す断面図である。
本実施例の二重床構造は、図２に示すように、建物の床基盤１６上にレベル調整自在かつ下端に防振ゴム１５を有する支持脚１４を立て、該支持脚１４の上部にパネル受け台座１３を備え、その上にパーティクルボードからなる床下地パネル材１１を支持させ、該床下地パネル材１１の上に床仕上げ材（フローリング）１２を載置してなる浮き床方式の二重床構造である。そして、図１に示すように、建物の二重床構造１は３４００×６８００ｍｍの矩形であり、ここに図中破線で示す６００×６００ｍｍの正方形の床下地パネル材１１を床面１の長辺方向に対して４５°に敷き詰める。この上に図中実線で示す３００×１８００ｍｍの矩形の床仕上げ材（フローリング）１２を二重床構造１の長辺方向に平行に敷き詰める。その結果、図中いずれの個所においても床下地パネル１１の継ぎ目と床仕上げ材（フローリング）１２の継ぎ目の角度が４５°で交差するようにして重なり、同方向を向いて近接することはない。その結果、継ぎ目の距離が平均としてみれば大きく（遠く）なり、床下地パネル材１１や床仕上げ材（フローリング）１２の変形（隙間の発生）が生じにくくなる。また、床仕上げ材（フローリング）１２が複数の床下地パネル材１１にまたがる事で変形（隙間の発生）しようとする力が分散される。
【００１２】
その結果、変形（隙間の発生）が生じにくくなることで、歩行感が向上し、荷重によるたわみも発生しにくくなり、捨て張りの合板等が不要となり、その分の材料費、施工費用の削減が可能となる。又、床下配管等で、床下の有効寸法が、捨て張り合板等が不要になれば、入れた場合に比べて広くすることができ、床の高さを低く抑えることで、天井高さの確保、バリヤフリーの為の段差解消がやりやすくなる。
【００１３】
以上実施例に基づいて説明したが、本発明はこの実施例に限られるものでなく、本発明の要旨に反しない程度の変更があっても本発明に含まれる。例えば、二重床構造として置き床（乾式二重床）方式であっても良く、又、新築の建物に限らず、建物をリホームする場合であっても良い。
【図面の簡単な説明】
【００１４】
【図１】本発明の一実施例であって、二重床を構成する床下地パネル材と、その上に床仕上げ材が施工された様子を透過して示す平面図である。
【図２】二重床（浮き床方式）構造を模式的に示す断面図である。
【図３】従来の二重床を構成する床下地パネル材と、その上に床仕上げ材が施工された様子を透過して示す平面図である。
【符号の説明】
【００１５】
１                建物の床面
１１               床下地パネル材
１２               床仕上げ材
１３              パネル受け台座
１４              支持脚
１５              防振ゴム
１６              床基盤
【図１】
2005232796.tif 000003
【図２】
2005232796.tif 000004
【図３】
2005232796.tif 000005